(57)【要約】      （修正有）【課題】トイレ用薬液供給具に対し、造花などの装飾品を含む薬液供給具に関する付属品を、薬液供給具から離れた位置に保持する、保持具を提供する。【解決手段】トイレ用薬液供給具１に付属品６を保持させるための保持具１０であって、少なくとも一方側の一部分が薬液供給具１から延出するように取り付けられ、延出する部分に付属品６が装着される。保持具１０の他方側の一部分には、薬液供給具１に対して着脱可能に係合する着脱手段が設けられている。着脱手段は、薬液供給具１の底部から下方に延びる長脚３２を挿通可能な挿通孔よりなる。【選択図】図２
2015165084.tif 000002
【特許請求の範囲】
【請求項１】
トイレ用薬液供給具に付属品を保持させるための保持具であって、
少なくとも一方側の一部分が前記薬液供給具から延出するように取り付けられ、
前記延出する部分には、付属品が装着される保持具。
【請求項２】
請求項１に記載の保持具において、当該保持具の他方側の一部分には、前記薬液供給具に対して着脱可能に係合する着脱手段が設けられている保持具。
【請求項３】
前記着脱手段は、前記薬液供給具の底部から下方に延びる突出部材を挿通可能な挿通孔よりなる請求項２に記載の保持具。
【請求項４】
前記突出部材が水洗トイレにおける貯水タンク上部の手洗い部の排水口に挿入される長脚であり、前記挿通孔は前記長脚の平面視における外形に対応するように形成されている請求項３に記載の保持具。
【請求項５】
請求項３又は４に記載の保持具において、当該保持具の前記挿通孔が設けられている部分は、向かい合う前記薬液供給具の底部の形状と対応するように形成されている保持具。
【請求項６】
請求項１〜５のいずれかに記載の保持具において、当該保持具は、可撓性を有している保持具。
【請求項７】
請求項１〜６のいずれかに記載の保持具において、当該保持具は、前記薬液供給具の外側まで延びる延出部と、前記延出部に接続され、前記薬液供給具の外形に沿って延びる装着部と、を備え、
前記付属品は、前記装着部に装着される保持具。
【請求項８】
前記薬液供給具は、平面視において、第１の方向の長さがこれと直交する第２の方向の長さよりも長い外形を有しており、
前記付属品は、前記薬液供給具の前記第１の方向の外側に配置される請求項１〜７のいずれかに記載の保持具。
【請求項９】
前記付属品は、着脱可能に装着される請求項１〜８のいずれかに記載の保持具。
【請求項１０】
薬液供給具と、
前記薬液供給具に一体に設けられた保持具と、を備え
前記保持具は、少なくとも一部分が前記薬液供給具から延出しており、前記延出する部分に付属品が装着される保持具付き薬液供給具。
【発明の詳細な説明】
【技術分野】
【０００１】
本発明は、水洗トイレの水洗用の水に、芳香、消臭、洗浄のための薬液を供給する薬液供給具に対して付属品を保持させるための保持具、及び、この保持具を備えた保持具付き薬液供給具に関する。
【背景技術】
【０００２】
従来より、水洗トイレの貯水タンク上部に設けられた手洗い用給水受皿には、芳香、消臭、洗浄のための薬液を水洗時（フラッシュ時）の流水（フラッシュ水）に供給するために、オンタンクタイプの薬液供給具が設置される。このオンタンクタイプの薬液供給具としては、例えば、薬液を収容する薬液容器と、薬液容器を支持するカップ状の支持体とを備え、支持体の底部に設けられた複数の長脚を手洗い用給水受皿の排水口に挿入して設置するものが知られている（例えば、特許文献１参照）。
【０００３】
また、従来より、使用者自身が、トイレ内の美観を向上させるために、手洗い用給水受皿における薬液供給具の周囲に造花などの装飾品を設置することがある。
【先行技術文献】
【特許文献】
【０００４】
【特許文献１】特開２００４−３００８６１号公報
【発明の概要】
【発明が解決しようとする課題】
【０００５】
ところで、薬液供給具には、薬液を外部に排出する、あるいはフラッシュ水を内部に流入させるなどの種々の目的に応じた複数の開口が設けられている。しかし、使用者は、薬液供給具に設けられた開口の役割を認識していないので、装飾品を手洗い用給水受皿に設置する際に、薬液供給具の開口を塞ぐように配置するおそれがある。薬液供給具の開口が装飾品により塞がれると、薬液供給具からの安定した薬液の排出を阻害するおそれがあり、その結果、薬液供給具による所望の効果を得られないという問題がある。また、装飾品を薬液供給具から多少離れた位置に配置しても、フラッシュ水の影響で装飾品が元の所定位置から動くことで、薬液供給具の開口を塞ぐおそれがあるうえ、見た目も悪くなるという問題がある。
【０００６】
本発明は、上記した問題に着目してなされたものであり、造花などの装飾品を含む薬液供給具に関する付属品を、薬液供給具から離れた位置に保持することができる保持具、及び、この保持具を備えた保持具付き薬液供給具を提供することを目的とする。
【課題を解決するための手段】
【０００７】
本発明の上記目的は、トイレ用薬液供給具に付属品を保持させるための保持具であって、少なくとも一方側の一部分が前記薬液供給具から延出するように取り付けられ、前記延出する部分には、付属品が装着される保持具により達成される。
【０００８】
本発明の好ましい実施態様においては、当該保持具の他方側の一部分には、前記薬液供給具に対して着脱可能に係合する着脱手段が設けられていることを特徴としている。
【０００９】
本発明のさらに好ましい実施態様においては、前記着脱手段は、前記薬液供給具の底部から下方に延びる突出部材を挿通可能な挿通孔よりなることを特徴としている。なお、前記挿通孔は、複数の前記突出部材を挿通可能に形成されていることがさらに好ましい。
【００１０】
本発明のさらに好ましい実施態様においては、前記突出部材が水洗トイレにおける貯水タンク上部の手洗い部の排水口に挿入される長脚であり、前記挿通孔は前記長脚の平面視における外形に対応するように形成されていることを特徴としている。
【００１１】
本発明のさらに好ましい実施態様においては、当該保持具の前記挿通孔が設けられている部分は、向かい合う前記薬液供給具の底部の形状と対応するように形成されていることを特徴としている。
【００１２】
本発明のさらに好ましい実施態様においては、当該保持具は、可撓性を有していることを特徴としている。
【００１３】
本発明のさらに好ましい実施態様においては、当該保持具は、前記薬液供給具の外側まで延びる延出部と、前記延出部に接続され、前記薬液供給具の外形に沿って延びる装着部と、を備え、前記付属品は、前記装着部に装着されることを特徴としている。
【００１４】
本発明のさらに好ましい実施態様においては、前記薬液供給具は、平面視において、第１の方向の長さがこれと直交する第２の方向の長さよりも長い外形を有しており、前記付属品は、前記薬液供給具の前記第１の方向の外側に配置されることを特徴としている。
【００１５】
本発明のさらに好ましい実施態様においては、前記付属品は、着脱可能に装着されることを特徴としている。
【００１６】
本発明の上記目的は、薬液供給具と、前記薬液供給具に一体に設けられた保持具と、を備え、前記保持具は、少なくとも一部分が前記薬液供給具から延出しており、前記延出する部分に付属品が装着される保持具付き薬液供給具によっても達成される。
【発明の効果】
【００１７】
本発明によると、造花などの装飾品を含む薬液供給具に関する付属品を、薬液供給具から離れた位置に保持することができる。よって、付属品が薬液供給具に設けられた各種の開口を塞ぐおそれがないため、薬液供給具から安定して薬液を排出することができ、付属品を設置しても薬液供給具による所望の効果を得ることができる。
【図面の簡単な説明】
【００１８】
【図１】本発明の一実施形態に係る保持具を備えた薬液供給具の斜視図である。
【図２】保持具を備えた薬液供給具の正面図である。
【図３】保持具を備えた薬液供給具の平面図である。
【図４】保持具を備えた薬液供給具の底面図である。
【図５】図１の薬液供給具の正面図である。
【図６】図５の薬液供給具の分解図である。
【図７】薬液容器の正面図である。
【図８】図７の薬液容器の側面図である。
【図９】図７の薬液容器の平面図である。
【図１０】支持体の正面図である。
【図１１】図１０の支持体の側面図である。
【図１２】図１０の支持体の底面図である。
【図１３】保持具の平面図である。
【図１４】図１３の保持具の側面図である。
【図１５】支持部材の平面図である。
【図１６】図１５の支持部材の正面図である。
【図１７】造形物の正面図である。
【図１８】造形物の正面図である。
【図１９】付属品の他の例を示す正面図である。
【図２０】付属品の他の例を示す正面図である。
【図２１】付属品の他の例を示す正面図である。
【図２２】変形例の保持具の平面図である。
【図２３】本発明に係る保持具を採用可能な他の薬液供給具の分解図である。
【図２４】図２３の薬液供給具の底面図である。
【図２５】図２３の薬液供給具に取り付けられる保持具の平面図である。
【図２６】本発明の他の実施形態に係る保持具の斜視図である。
【図２７】図２６の保持具の平面図である。
【図２８】図２６の保持具の底面図である。
【図２９】図２６の保持具の正面図である。
【図３０】図２６の保持具の背面図である。
【図３１】図２６の保持具の右側面図である。
【図３２】図２６の保持具の左側面図である。
【図３３】図２７のＡ−Ａ線に沿う断面図である。
【発明を実施するための形態】
【００１９】
以下、本発明の実態の形態について添付図面を参照して説明する。図１〜図４は、本発明の一実施形態である保持具１０が取り付けられた薬液供給具１の外観を示している。本実施形態では、水洗トイレの貯水タンク上部に設けられる手洗い用給水受皿（以下、単に「給水受皿」という。）１００に設置されるオンタンクタイプの薬液供給具１を例に挙げて説明している。なお、給水受皿１００は、一般的には、平面視において長方形状又は三角形状であり、中央に排水口１０１を有し、すり鉢状に形成されている。薬液供給具１は、平面視において排水口１０１を覆うように配置され、薬液供給具１の上方に設けられた給水管から給水される水は、薬液供給具１から供給される薬液をさらい、排水口１０１へ流れ込む。そして、排水口１０１から流れ込んだ薬液は貯水タンクに貯められた後、便器に水を流すときに排出され、便器を洗浄する。
【００２０】
薬液供給具１は、図５及び図６に示すように、芳香、消臭、洗浄のための液状の薬剤を収容する薬液容器２と、薬液容器２が着脱可能に取り付けられるカップ状の支持体３と、を備えている。
【００２１】
薬液容器２は、図７〜図９に示すように、平面視において、第１の方向（図９の左右方向）の長さがこれと直交する第２の方向（図９の上下方向）の長さよりも長い横長状の外形を有している。本実施形態では、平面視略楕円形状に形成されている。薬液容器２は、液状の薬剤を収容可能な薬剤収納部２０を備え、薬剤収納部２０の端面（図７における下端面）には、薬液を排出するための排出口２１が設けられている。薬液容器２は、一部または全体が透明または半透明の材料で構成され、外部から薬液の残量が確認できる。排出口２１にはキャップ２２（図６に示す）が被せられている。
【００２２】
支持体３は、図１０〜図１２に示すように、上部に開口を有し、薬液容器２と同様に、平面視において、第１の方向（図１２の左右方向）の長さがこれと直交する第２の方向（図１２の上下方向）の長さよりも長い横長状の外形を有している。本実施形態では、平面視略楕円形状に形成されている。給水受皿１００の形状が長方形である場合、薬液供給具１は、第１の方向（支持体３及び薬液容器２の長手方向）が給水受皿１００の長手方向と一致するように設置される。
【００２３】
支持体３は、ポリエチレン、ポリプロピレン、ポリエチレンテレフタレートなどの合成樹脂製であり、底部３０と側面部３１とを備えている。支持体３の底部３０の下面には、下方に延びる複数（図示例では４本）の長脚３２が設けられている。薬液供給具１は、複数の長脚３２を給水受皿１００の排水口１０１に挿入するようにして給水受皿１００上に設置される。複数の長脚３２は、円周方向に沿って等角度の間隔（図示例では９０度間隔）で配置されている。また、支持体３の底部３０の下面には、長脚３２の周囲に、長脚３２より短い複数（例えば４本）の短脚３３が下方に延びるようにして設けられている。複数の短脚３３は、長脚３２が排水口１０１に挿入された状態で、支持体３を給水受皿１００上にほぼ水平に支持する。
【００２４】
支持体３の側面部３１には、開口３４，３５が形成されている。開口３４からは、支持体３の底部３０上に載置された板状の薬液供給部材４の端部が突き出ている。薬液容器２内の薬液は薬液供給部材４上に供給され、フラッシュ時に給水受皿１００に供給される流水が開口３４から支持体３内に流入することによって洗い流されることで、排水口１０１から貯水タンクに流れ込む。開口３５は、薬液の芳香成分を外部に拡散させるために設けられている。また、支持体３の底部３０には、支持体３内における水の滞留を防止するための開口３６が複数形成されている。
【００２５】
支持体３の底部３０上には、下部に開口を有する箱状の調整部材５が着脱可能に取り付けられており、底部３０と調整部材５との間に薬液供給部材４が介在している。調整部材５は、薬液容器２の排出口２１に接続される円筒状の排出部材５０を備えており、薬液容器２内の薬液は、排出部材５０を介して薬液供給部材４へ流れる。また、調整部材５内には、薬液を貯留する緩衝室５１が形成されている。緩衝室５１は、薬液容器２から排出される薬液の量を調整する役割を果たしている。
【００２６】
保持具１０は、図１３及び図１４に示すように、ポリエチレン、ポリプロピレン、アクリル樹脂などの可撓性を有するプラスチックなどで成型されている。保持具１０は、例えば厚みが０．５ｍｍ〜２ｍｍ程度の板状に形成されており、その一方側の一部分には、薬液供給具１に関する付属品６を保持具１０に装着させるための装着手段１３が設けられている。また、保持具１０の他方側の一部分には、保持具１０を薬液供給具１に対して着脱可能に取り付けるための着脱手段１２が設けられている。
【００２７】
着脱手段１２は、保持具１０の板面を貫通する挿通孔１２Ａにより形成されている。挿通孔１２Ａに、薬液供給具１（支持体３）の底部３０の下面から下方に延びる突出部材を挿通させることで、保持具１０は薬液供給具１の支持体３に取り付けられる。挿通孔１２Ａは、本実施形態では、支持体３の底部３０の下面から下方に延びる長脚３２を前記突出部材としており、長脚３２の断面形状に対応する形状に形成されている。また、挿通孔１２Ａは、複数の長脚３２をそれぞれ挿通可能なように、複数の長脚３２の配置に対応して円周方向に沿って等角度の間隔（本実施形態では９０度間隔）で４つ設けられている。
【００２８】
保持具１０は、着脱手段１２を介して薬液供給具１に取り付けられた際に、少なくとも一部分が薬液供給具１から外側に延出する長さに形成されており、保持具１０の薬液供給具１から外側に延出する部分に装着手段１３が設けられる。装着手段１３は薬液供給具１の外側に保持されるので、装着手段１３に装着される付属品６は、薬液供給具１から間隔をあけた位置に保持される。本実施形態の保持具１０は、着脱手段１２（挿通孔１２Ａ）が設けられた着脱部１６と、着脱部１６に接続され、薬液供給具１に取り付けられた際に、支持体３の底部３０の下面に沿って、第１の方向に向かって薬液供給具１の外側まで延びる延出部１４と、延出部１４に接続され、薬液供給具１の外縁と間隔をあけた状態で薬液供給具１に沿って延びる装着部１５とを備えている。装着手段１３は、装着部１５に設けられている。よって、本実施形態では、付属品６は、薬液供給具１の第１の方向（図３の左右方向）の外側に配置され、さらには、装着部１５が薬液供給具１に沿って薬液供給具１の正面側に向けて延びていることから、薬液供給具１の手前位置にも配置される。
【００２９】
着脱部１６は、薬液供給具１に取り付けられた際に、向かい合う支持体３の底部３０の形状に対応する形状に形成されている。支持体３の底部３０は、第２の方向（図１２の上下方向）側に位置する両側部３０Ｂが中央部３０Ａに対して下方へ傾斜した形状に形成されている。よって、着脱部１６は、延出部１４と連続して底部３０の中央部３０Ａに沿う平板部１６Ａと、平板部１６Ａの両側から下方へ傾斜して底部３０の各側部３０Ｂに沿う一対の傾斜部１６Ｂとを備えている。このように、着脱部１６は、支持体３の底部３０の形状に対応していることで、支持体３の底部３０に嵌まるため、保持部材１０が支持体３に安定した状態で固定される。なお、図示例では、着脱部１６は、延出部１４よりも幅広の平面視円形状に形成されているが、必ずしも平面視円形状に形成されている必要はなく、平面視矩形状などであってもよい。また、着脱部１６は、延出部１４よりも幅が狭く形成されていてもよい。
【００３０】
装着手段１３は、装着部１５に間隔をあけて設けられた２つの突部１７と、この両突部１７に着脱可能な支持部材７とを備えている。突部１７は、突部１７を左右２つに分割した２つの半円柱体１７Ａ，１７Ｂで構成されており、２つの半円柱体１７Ａ，１７Ｂを内側に弾性変形させると、突部１７の外形は一旦小さくなるが、２つの半円柱体１７Ａ，１７Ｂが元の状態に復帰することで、突部１７の外形は元の状態に戻る。
【００３１】
支持部材７は、図１５及び図１６に示すように、２つの突部１７と係合する２つのリング状部７０と、各リング状部７０を連結するように延びる連結部７１とを備えている。突部１７は、２つの半円柱体１７Ａ，１７Ｂを内側に弾性変形させることで、リング状部７０が通過可能となる。その後、２つの半円柱体１７Ａ，１７Ｂが元の状態に復帰して突部１７の外形がリング状部７０よりも大きくなることで、突部１７がリング状部７０から抜け出ることが規制される。したがって、支持部材７は装着部１５に固定される。
【００３２】
装着手段１３に対し、花や葉っぱ、動物、樹木、木の実、昆虫などの造形物からなる飾りを付属品６として装着している。この場合、付属品６は、例えば、図１７及び図１８に示すような、花（プルメリア）及び葉っぱ（アンセリウムの葉）の造形物６０，６１により構成してもよい。支持部材７の連結部７１には、造形物６０，６１を取付可能な複数（図示例では５つ）の突起７２が一体に形成されている。一方、造形物６０，６１には、それぞれ突起７２に嵌合可能な空洞６９が形成されており、突起７２を空洞６９に挿入することで、造形物６０，６１を支持部材７に固定することができる。複数の突起７２は、複数の造形物を外部から視認しやすくするために、連結部７１に対する設置角度が異なるように設定されていてもよい。例えば、外部から視認される際に手前側に配置される突起７２については、傾斜角度θが緩く（例えば４５°）、奥側に配置されるに連れて突起７２の傾斜角度θが急（例えば、６０°、９０°）となるようにするのが好ましい。
【００３３】
なお、飾りとする造形物は、上記した組み合わせ（花及び葉っぱ）に限定されるものではなく、その他にも、例えば、図１９に示すように、花（オーニソガラム）、木の実（クヌギ）、動物（リス）及び葉っぱ（アイビー）の造形物６２〜６５を支持部材７の突起７２に取り付けることで、付属品６を森の雰囲気を想像させる装飾としてもよいし、また、図２０や図２１に示すように、花（バラ）、樹木（サンキライ）、昆虫（バタフライ）の造形物６６〜６８を支持部材７の突起７２に取り付けることで、付属品６を花畑の雰囲気を想像させる装飾としてもよく、造形物の組み合わせ次第で、種々の雰囲気を想像させる装飾とすることができる。
【００３４】
上記の構成の保持具１０によると、着脱手段１２を介して薬液供給具１に取り付けると、保持具１０の一方側に位置する一部分（装着部１５）が薬液供給具１から延出して薬液供給具１の外側に位置し、この延出部分（装着部１５）に付属品６が装着される。よって、付属品６を薬液供給具１から離れた位置に保持することができるので、付属品６が薬液供給具１に設けられた各種の開口３４〜３６を塞ぐおそれがない。したがって、薬液供給具１から安定して薬液を排出することができ、付属品６を設置しても薬液供給具１による所望の効果を得ることができる。また、フラッシュ水の影響で付属品６が多少動いたとしても、付属品６が薬液供給具１から離れた位置に保持されるので、使用中に付属品６が薬液供給具１の開口３４〜３６を塞ぐおそれがないうえ、付属品６と薬液供給具１との当初の位置関係がある程度固定されるので、付属品６の見た目が悪くなるというおそれもない。
【００３５】
また、保持具１０は、着脱手段１２と支持体３の底部３０から下方に延びる突起部材（長脚３２）との係合により、底部３０の下面に取り付けられる。従って、使用時には、薬液供給具１の下に保持具１０の大部分（着脱部１６及び延出部１４）が隠れるため、美観の向上を図ることができる。そのうえ、保持具１０の薬液供給具１から延出する延出部分（装着部１５）は、図２に示すように、給水受皿１００における排水口１０１の周辺部よりも上方に位置する。そのため、給水受皿１００を流れるフラッシュ水がこの延出部分（装着部１５）に乗り上げて流れることで、フラッシュ水の流入位置が高くなるとともに、薬液供給具１の開口３４付近にフラッシュ水が集まるように誘導される。よって、フラッシュ水が開口３４を介して薬液供給部材４上の薬液と良好に接触するようになるので、薬液を良好に排水口１０１に流れ込ませることができる。
【００３６】
また、保持具１０は、着脱手段１２としての挿通孔１２Ａが、支持体３の底部３０から突き出る複数の突起部材（長脚３２）をそれぞれ挿通できるように形成されているので、保持具１０を支持体３に対して動かないよう確実に固定できる。よって、フラッシュ水の影響を受けても付属品６が動くことがなく、付属品６と薬液供給具１との当初の位置関係を維持できる。
【００３７】
また、保持具１０は、着脱手段１２（挿通孔１２Ａ）が設けられている部分（着脱部１６）が向かい合う支持体３の底部３０の形状に対応する形状に形成されているので、保持部材１０と支持体３とをより安定した状態で固定することができる。
【００３８】
また、保持具１０は、可撓性を有しているため、保持具１０を取り付けた薬液供給具１を給水受皿１００に設置した際、保持具１０が給水受皿１００の形状に応じて容易に変形する。よって、給水受皿１００の形状や勾配に関係なく、保持具１０を取り付けた薬液供給具１を給水受皿１００に良好に設置することができる。
【００３９】
また、保持具１０は、薬液供給具１の第１の方向（薬液供給具１の長手方向、図３及び図４の左右方向）に延び、装着手段１３は、薬液供給具１の第１の方向の外側に配置されている。ここで、給水受皿１００の形状が一般的な長方形状であると、給水受皿１００を流れるフラッシュ水は、薬液供給具１の第１の方向からよりも、第２の方向（薬液供給具１の短手方向、図３及び図４の上下方向）からの方が、薬液供給具１に対してより流入しやすい。そのため、装着手段１３を薬液供給具１の第１の方向の外側に配置することで、付属品６がフラッシュ水の影響を受けにくくなる。
【００４０】
また、保持具１０は、薬液供給具１の外形に沿って延びる部分（装着部１５）を備えている。そのため、付属品６が薬液供給具１の手前側に位置し、付属品６を外部から効果的に視認させることができる。さらに、付属品６が薬液供給具１に沿って配置されることで、支持体３を隠すように装飾できるので、意匠的効果を高めることができる。加えて、保持具１０は、装着部１５が給水受皿１００の形状に沿って対応した形状となるので、保持具１０が薬液供給具１の手前位置まで延びている場合でも、給水受皿１００に良好に設置することができる。
【００４１】
また、付属品６は、装着手段１３を介して保持具１０に取り外し可能であるため、状況に応じて交換することができる。
【００４２】
以上、本発明の一実施形態について詳述したが、本発明の具体的な態様は上記した実施形態に限定されるものではなく、その趣旨を逸脱しない限りにおいて、種々の変形が可能である。例えば、上記実施形態では、保持具１０の装着部１５に設けられた突部１７と、突部１７に着脱可能な支持部材７とにより、付属品６を保持具１０に装着するための装着手段１３を構成しているが、これに限られるものではなく、例えば、装着部１５に、支持部材７の突起７２と同様の、付属品６である造形物の空洞６９に嵌合可能な突起を直接設けるようにしてもよい。また、付属品６である造形物を保持具１０に装着するための装着手段１３としては、上記した突起と空洞との嵌合による方法のものに限られるものではなく、その他、保持具１０に付属品６である造形物を装着できるのであれば、種々の方法のものを採用することができる。例えば、内部に造形物を収容可能なケース（図示せず）を保持具１０の装着部１５に設置し、このケース内に付属品６である造形物を収容することで、薬液供給具１の側方に付属品６を配置するようにしてもよい。また、付属品６は、必ずしも保持具１０に対して着脱可能である必要はなく、保持具１０に接着剤などで固定する、又は、保持具１０に一体に設けるものであってもよい。
【００４３】
また、上記実施形態では、付属品６は、トイレの空間を華やかにして美観を向上させるための造花などの装飾品であったが、これに限られるものではなく、例えば、芳香剤などの薬剤であってもよい。薬剤は、固形状、液状、ゲル状など、形状は問わず、上記したように、内部に薬剤を収容可能なケース（図示せず）を保持具１０の装着部１５に設置し、このケース内に薬剤を収容することで、薬液供給具１の側方に付属品６として薬剤を配置し、トイレの空間の臭気をなくし、快適な空間を生み出すようにしてもよい。
【００４４】
また、上記実施形態では、保持具１０の着脱部１６に、薬液供給具１（支持体３）の底部３０から下方に延びる複数の長脚３２に対応するように複数の挿通孔１２Ａを形成し、各挿通孔１２Ａに長脚３２を挿通させることで、保持具１０を薬液供給具１に着脱可能に取り付けるようにしているが、突出部材は、支持体３の底部３０から下方に延びる部材であれば、長脚３２でなくてもよく、例えば、複数の短脚３３で代用することもできる。すなわち、複数の短脚３３に対応するように着脱部１６に複数の挿通孔１２Ａを形成し、各挿通孔１２Ａに短脚３３を挿通させることで、保持具１０を薬液供給具１に着脱可能に取り付けるようにしてもよい。また、上記実施形態では、挿通孔１２Ａを長脚３２と対応するよう複数形成しているが、図２２に示すように、複数の長脚３２をまとめて挿通可能な大きさの挿通孔１２Ａを着脱部１６に１つ形成し、この１つの挿通孔１２Ａに長脚３２をまとめて挿通させることで、保持具１０を薬液供給具１に着脱可能に取り付けるようにしてもよい。
【００４５】
また、上記実施形態では、保持具１０に形成した挿通孔１２Ａにより、保持具１０を薬液供給具１に着脱可能に取り付けるための着脱手段１２を構成しているが、これに限られるものではなく、着脱手段１２として、例えば、支持体３に形成された各種の開口３４〜３６の縁に着脱可能に係合するフックなどの係止具を保持具１０に設け、この係止具を開口３４〜３６に引っ掛けて止めることで、保持具１０を薬液供給具１に着脱可能に取り付けるようにしてもよい。また、支持体３の側面部３１の上端に着脱可能に係合するフックなどの係止具を保持具１０に設け、この係止具を支持体３の側面部３１の上端に引っ掛けて止めることで、保持具１０を薬液供給具１に着脱可能に取り付けるようにしてもよい。
【００４６】
また、着脱手段１２としては、例えば、薬液供給具１の支持体３に、側面部３１から突き出るピンなどの係合突起を設ける一方、保持具１０に、前記係合突起が着脱可能に係合する係合凹部又は係合孔を設け、係合突起と係合凹部又は係合孔とを互いに係合させることで、保持具１０を薬液供給具１に着脱可能に取り付けるようにしてもよい。なお、保持具１０にピンなどの係合突起を設ける一方、薬液供給具１の支持体３の側面部３１に、前記係合突起が係脱する係合凹部又は係合孔を設けるようにしてもよい。
【００４７】
これらの実施形態においても、着脱手段１２を介して保持具１０を薬液供給具１に取り付けた際に、保持具１０の一部分（装着部１５）が薬液供給具１から延出して薬液供給具１の外方側に位置し、この延出部分（装着部１５）に付属品６が装着される。よって、付属品６を薬液供給具１から離れた位置に保持することができるので、上記実施形態と同様の作用・効果を奏する。このように、着脱手段１２としては、保持具１０を薬液供給具１に着脱可能に取り付けることができるのであれば、種々の方法のものを採用することができる。
【００４８】
また、上記実施形態では、保持具１０は、延出部１４と、延出部１４に接続された装着部１５とを備えており、装着部１５が薬液供給具１の外縁に沿って延びているが、必ずしも装着部１５は薬液供給具１の外縁に沿って延びている必要はなく、延出部１４の一部として、延出部１４の延長線上に装着部１５が存在していてもよい。
【００４９】
図２６〜図３３は、上記実施形態の保持具１０の変形例についての上述した記載を考慮し、図５及び図６に示す薬液供給具１に取付可能な保持具１０の他の実施形態を示している。なお、図２６〜図３３に示す保持具１０の基本的な構成は、図１３及び図１４に示す上記実施形態の保持具１０の構成と同様であり、ここでは対応する構成に同一の符号を付することで詳細な説明を省略する。
【００５０】
本実施形態の保持具１０は、着脱部１６が延出部１４と同じ幅の平板状に形成されており、薬液供給具１の底部３０の中央部３０Ａの形状と対応している。つまり、着脱部１６は、図１３及び図１４に示す保持具１０の着脱部１６における平板部１６Ａのみを備えている。また、着脱部１６は、薬液供給具１の第１の方向（図１２の左右方向）のいずれか一方の長脚３２を挿通可能な平面視矩形状の挿通孔１２Ａが１つだけ形成されており、その先端部１６Ｃは、薬液供給具１の第２の方向（図１２の左右方向）の長脚３２の近傍に位置している。このように、本実施形態の保持具１０の着脱部１６は、幅及び長さが、図１３及び図１４に示す保持具１０の着脱部１６よりも短く、大きさ（平面視の面積）が小さく形成されている。
【００５１】
加えて、着脱手段１２として、延出部１４の第１の方向（図２７の左右方向、延出部１４の長手方向）に延びる両側縁部に、薬液供給具１の底部３０に形成された開口３６の縁（底部３０の上面）に着脱可能に係合するフック状（鉤状）の係止具１２Ｂが１つずつ設けられている。この係止具１２Ｂが開口３６を通って開口３６の縁（底部３０の上面）に引っ掛けられることで、保持具１０を薬液供給具１によりしっかり取り付けることができ、保持具１０が薬液供給具１から脱落することが防止されている。
【００５２】
また、保持具１０には、薬液供給具１と対向する側の上面とは反対側の下面に、凸状の補強リブ１１が一体に設けられている。この補強リブ１１は、保持具１０に作用する外力に対する剛性を高めている。つまり、水洗時にフラッシュ水が手洗い用給水受皿１００に供給される際には、流下するフラッシュ水の影響で保持具１０の薬液供給具１から延出する延出部分（装着部１５）に外力が作用する。これにより、延出部分（装着部１５）が下側に撓んで弾性変形するために、保持具１０全体が下方にずれ落ち、薬液供給具１から脱落するおそれがある。しかし、保持具１０に補強リブ１１を設けて保持具１０の剛性を高めることで、流下するフラッシュ水の影響を受けても保持具１０が弾性変形しにくくなる。その結果、保持具１０が薬液供給具１から脱落することが防止されている。なお、補強リブ１１は、本実施形態では、保持具１０の着脱部１２側（挿通孔１２Ａの近傍）に設けられているが、保持具１０の装着部１５側（延出部１４の係止具１２Ｂよりも装着部１５側）に設けられていてもよい。また、補強リブ１１は、本実施形態では、第２の方向（図２８の上下方向、延出部１４の短手方向）に延びるように設けられているが、第１の方向（図２８の左右方向、延出部１４の長手方向）に延びるように設けられていてもよい。
【００５３】
また、装着手段１３として、装着部１５の上面には、付属品６である造形物の空洞６９に嵌合可能な複数の突起１８が一体に設けられている。突起１８を空洞６９に挿入することで、種々の造形物を装着部１５に装着することができる。複数の突起１８は、複数の造形物を外部から視認しやすくするために、装着部１５に対する設置角度が異なるように設定されていてもよい。例えば、外部から視認される際に手前側に配置される突起１８については、傾斜角度θが緩く（例えば４５°）、奥側に配置されるに連れて突起１８の傾斜角度θが急（例えば、６０°、９０°など）となるようにしてもよい。なお、本実施形態では、複数の突起１８は、装着部１５上に奥側から手前側に延びるにように一体に設けられた基部１９を介して設けられている。基部１９及び突起１８を例えば緑色にすることで、これらを花の茎のように見せることができ、美観をさらに向上できる。
【００５４】
本実施形態の保持具１０によると、図１３及び図１４に示す保持具１０と同じ作用及び効果を奏するうえ、上述したように係止具１２Ｂ及び／又は補強リブ１１を備えているので、保持具１０が薬液供給具１から脱落することを確実に防止できる。保持具１０が薬液供給具１から脱落すると、手洗い用給水受皿１００の排水口１０１が保持具１０の着脱部１６により塞がれるので、排水口１０１へのフラッシュ水の排水が阻害されるおそれがあるが、保持具１０の薬液供給具１からの脱落を防止できることで、排水口１０１が保持具１０の着脱部１６により塞がれることを防止でき、フラッシュ水を排水口１０１に流れ込ませることができる。
【００５５】
加えて、着脱部１６の大きさ（平面視の面積）が小さく形成されているので、仮に保持具１０が薬液供給具１から脱落した場合でも、着脱部１６が手洗い用給水受皿１００の排水口１０１を完全に塞ぐことがなく、排水口１０１の一部は開口しているので、排水口１０１へのフラッシュ水の排水が阻害されることがなく、フラッシュ水を排水口１０１に流れ込ませることができる。
【００５６】
図２３及び図２４は、他の実施形態についての薬液供給具１を示している。この薬液供給具１も、薬液容器２と、薬液容器２が着脱可能に取り付けられるカップ状の支持体３とを備えており、支持体３は、薬液容器２内から排出される薬液を、支持体３の外部の断続的に流れる液体と接触する位置へ案内する板状の案内部材８を備えている。この薬液供給具１は、支持体３の底部３０から下方に延びる案内部材８及び長脚３２が手洗い用給水受皿の排水口に挿入されるようにして設置される。案内部材８が排水口に流下する水に接することで、案内部材８上の薬液が水に洗い流されて貯水タンクの中に流れ込む。また、支持体３の底部３０の案内部材８と長脚３２との間には、遮蔽部材３７が設けられている。遮蔽部材３７は、案内部材８よりも短く形成されており、排水口に流下する水が支持体３内に逆流するのを規制している。
【００５７】
この薬液供給具１に取り付けられる保持具１０としては、例えば、図２５に示すように、図１３及び図１４で示す保持具１０と同様に、着脱手段１２及び装着手段１３を有していて、着脱手段１２が設けられる着脱部１６と、着脱部１６に接続され、薬液供給具１に取り付けられた際に、支持体３の底部３０の下面に沿って、第１の方向（図２４の左右方向）に向かって薬液供給具１の外側まで延びる延出部１４と、延出部１４に接続され、薬液供給具１と間隔をあけた状態で、この外縁に沿って延びる装着部１５と、を備えたものを例示できる。そして、着脱手段１２は、着脱部１６に形成される挿通孔１２Ａにより構成されるが、挿通孔１２Ａを、支持体３の底部３０から下方に延びる２本の長脚３２、案内部材８及び遮蔽部材３７からなる突出部材の平面視における外形に対応する形状に形成し、この挿通孔１２Ａに２本の長脚３２、案内部材８及び遮蔽部材３７からなる突出部材をまとめて挿通させることで、保持具１０を薬液供給具１に着脱可能に取り付けることができる。
【００５８】
なお、この図２３及び図２４に示す薬液供給具１についても、図５及び図６に示す薬液供給具１と同様に、着脱手段１２としては、保持具１０を薬液供給具１に着脱可能に取り付けることができるのであれば、支持体３に形成された各種の開口３８の縁や、支持体３の側面部３１の上端に引っ掛けることが可能なフックなどの係止具、さらには、ピンなどの係合突起及び前記係合突起が係脱する係合凹部（又は係合孔）の組み合わせなど、種々の方法のものを採用することができる。また、着脱手段１２が設けられる保持具１０の着脱部１６を、薬液供給具１に取り付けられた際に向かい合う支持体３の底部３０の形状に対応する形状に形成することが好ましい。
【００５９】
また、上記実施形態の薬液供給具のように、液状の薬剤を用いて薬液を供給するタイプの薬液供給具以外にも、固形の薬剤を用いて薬液を供給するタイプの薬液供給具についても、本発明に係る保持具１０を設けることで、付属品６を薬液供給具から離れた所定位置に配置することができる。
【００６０】
また、上記実施形態の薬液供給具のように、水洗トイレの貯水タンク上に配置されるオンタンクタイプの薬液供給具以外にも、便器のリムに吊り掛けられて使用されるタイプの薬液供給具についても、本発明に係る保持具１０を設けることで、付属品６を薬液供給具から離れた所定位置に配置することができる。
【００６１】
また、上記実施形態では、保持具１０が、薬液供給具１に対して着脱手段１２を介して着脱可能となっているが、保持具１０を薬液供給具１に接着剤などを用いて取り付けるようにしてもよい。また、保持具１０が薬液供給具１に対して一体に設けられた保持具付き薬液供給具として構成されていてもよい。これらの実施形態では、保持具１０は、少なくとも一部分が薬液供給具１から延出しており、この薬液供給具１から延出する部分に、付属品６を装着可能な上記した装着手段１３を備えた構成のものとなる。具体的には、保持具１０は、着脱部１６が存在せず、延出部１４が薬液供給具１の支持体３の底部３０ないしは側面部３１から延びるように設けられ、延出部１４の先端に接続された装着部１５に装着手段１３が設けられる構成となる。薬液供給具１は、上記した各種タイプのいずれかのタイプの薬液供給具を採用することができる。
【符号の説明】
【００６２】
１    薬液供給具
６    付属品
１０  保持具
１２  着脱手段
１２Ａ  挿通孔
１３  装着手段
１４  延出部
１５  装着部
１６  着脱部
３０  底部
３２  長脚
【図１】
2015165084.tif 000003
【図２】
2015165084.tif 000004
【図３】
2015165084.tif 000005
【図４】
2015165084.tif 000006
【図５】
2015165084.tif 000007
【図６】
2015165084.tif 000008
【図７】
2015165084.tif 000009
【図８】
2015165084.tif 000010
【図９】
2015165084.tif 000011
【図１０】
2015165084.tif 000012
【図１１】
2015165084.tif 000013
【図１２】
2015165084.tif 000014
【図１３】
2015165084.tif 000015
【図１４】
2015165084.tif 000016
【図２２】
2015165084.tif 000017
【図２５】
2015165084.tif 000018
【図２６】
2015165084.tif 000019
【図２７】
2015165084.tif 000020
【図２８】
2015165084.tif 000021
【図２９】
2015165084.tif 000022
【図３０】
2015165084.tif 000023
【図３１】
2015165084.tif 000024
【図３２】
2015165084.tif 000025
【図３３】
2015165084.tif 000026
【図１５】
2015165084.tif 000027
【図１６】
2015165084.tif 000028
【図１７】
2015165084.tif 000029
【図１８】
2015165084.tif 000030
【図１９】
2015165084.tif 000031
【図２０】
2015165084.tif 000032
【図２１】
2015165084.tif 000033
【図２３】
2015165084.tif 000034
【図２４】
2015165084.tif 000035